(57)【要約】【課題】小型の録画装置、再生装置まはた録画再生装置において、録画した動画データの編集を容易に行うことを可能とする。【解決手段】動画データを表示する表示部１と、動画データを格納するデータ格納部３と、データ格納部３に格納された動画データの再生に関連する操作を指示する操作部４と、データ格納部３に格納されている動画データの再生や編集を制御する画像再生部２とを備えており、操作部４に設けられている任意のキーが、動画データの再生に関連する操作機能と動画データの編集に関連する操作機能とを具備し、操作部４の機能を再生に関連する操作機能から編集に関連する操作機能に変更することにより、この操作部４にて、データ格納部３に格納している動画データを、必要な部分だけを再生できるような形式に編集する。【選択図】  図１
2004343331.tif 000002
【特許請求の範囲】
【請求項１】
動画データを表示する表示手段と、動画データを格納する格納手段と、前記格納手段に格納された動画データの再生に関連する操作を指示する操作手段と、前記格納手段に格納されている動画データの再生や編集を制御する制御手段とを備えた動画データ編集装置において、
前記操作手段に設けられている任意のキーが、動画データの再生に関連する操作機能と動画データの編集に関連する操作機能とを具備し、
前記操作手段の機能を再生に関連する操作機能から編集に関連する操作機能に変更する変更手段をさらに備えており、前記変更手段にて前記操作手段の機能を再生に関連する操作機能から編集に関連する操作機能に変更することにより、前記操作手段にて動画データの編集作業を行うことを特徴とする動画データ編集装置。
【請求項２】
前記変更手段が、前記操作手段に設けられている動画データの再生に関連する操作を指示するキーの一つに割り付けられていることを特徴とする請求項１に記載の動画データ編集装置。
【請求項３】
編集モード時、前記操作手段は、前記表示手段に表示されている編集されるべき動画データの任意のポジションにマーキングをするためのマーキングキーを備えており、前記制御手段は、前記マーキングキーの操作によって動画データの任意の複数のポジションに添付されたマーキングに対し、偶数番目のマーキングはそのマーキングより前の動画データを有効とし、奇数番目のマーキングはそのマーキングより後ろの動作データを有効として編集処理を行うことを特徴とする請求項２に記載の動画データ編集装置。
【請求項４】
編集モード時、前記操作手段は、前記表示手段に表示されている編集されるべき動画データの任意のポジションにマーキングをするためのマーキングキーを備えており、前記制御手段は、前記マーキングキーの操作によって動画データの任意の複数のポジションに添付されたマーキングに対し、奇数番目のマーキングはそのマーキングより前の動画データを有効とし、偶数番目のマーキングはそのマーキングより後ろの動作データを有効として編集処理を行うことを特徴とする請求項２に記載の動画データ編集装置。
【請求項５】
前記制御手段は、編集処理の完了時に、有効とした画像データ以外の画像データを消去することを特徴とする請求項３または請求項４に記載の動画データ編集装置。
【請求項６】
前記制御手段は、編集後の動画データの再生時、前記有効範囲の動画データのみを連続して再生することを特徴とする請求項３または請求項４に記載の動画データ編集装置。
【発明の詳細な説明】
【０００１】
【発明の属する技術分野】
本発明は、デジタルデータである動画データを記録、再生する装置に係り、より詳細には、格納した動画データを編集する動画データ編集装置に関する。
【０００２】
【従来の技術】
従来より、動画データを編集する装置ないし方法等が種々提案されている。
【０００３】
例えば、動画記録の記録媒体を、記録テープからハードディスクのようなランダムアクセス可能なメデイアに変更し、その記録されたデジタルデータを予めグループ分けをして記録するか、あるいは記録された後にグループ分けをして記録するようにした電子式ビデオカメラの画像編集データ管理方法が提案されている（例えば、特許文献１参照）。
【０００４】
この画像編集データ管理方法では、グループ分けの方法として３つの方法が提案されている。
【０００５】
第１の方法は、一定時間で自動的にグループ分けする方法である。例えば、画像撮影時に画像の付属情報として記録される日時分の情報により、撮影時刻の差を利用して、例えば３０分ごとにグループ分けをする方法である。
【０００６】
第２の方法は、無線通信手段を利用して、例えばＰＨＳの基地局の固有ＩＤのような場所を示す情報を受信する、あるいはＧＰＳのような位置情報を受信して、画像記録を行う際に位置情報が同一の画像を同一グループにグループ分けをする方法である。
【０００７】
第３の方法は、電子式カメラの撮影時に、電子式カメラ特有の操作を利用してグループ分けする方法である。例えば、カメラのオープンクローズを指定するボタンを利用して、ユーザーが撮影をするときにはオープンのボタンを操作し、ユーザーがしばらく撮影を停止する際には、クローズのボタンを操作するので、１回のオープン操作からクローズ操作までを、一つのグループとして分類する方法である。
【０００８】
また、このようにしてグループ分けされたデータをユーザーが編集する方法として、これらグループ分けした情報をさらにグループ編成を行い、別のグループ分けを行うようにした４種の方法が提案されている。
【０００９】
第１の編集方法は、画像データに付属する日時分の情報をユーザーが指定することにより、各カットをグループ分けする方法である。
【００１０】
第２の編集方法は、複数の画像をランダムに表示して、カーソルなどの操作により指定したい画像をハイライトしてグループ分けを行う方法である。複数の画像は、デジタルデータ記録方式の１つであるＭＰＥＧ方式を採用し、全画面を表す情報であるＩ−ＰＩＣＴＵＲＥ（Ｉｎｔｒａ−ＰＩＣＴＵＲＥ）、差分情報を表すＰ−ＰＩＣＴＵＲＥ（Ｐｒｅ−ＰＩＣＴＵＲＥ）のうち、Ｉ−ＰＩＣＴＵＲＥのみを表示する方法である。
【００１１】
第３の編集方法は、前述のグループ分けされた画像の先頭のＩ−ＰＩＣＴＵＲＥをマルチ画面表示し、表示された画面の取捨選択をして１つのグループとすることでグループ分けを行う方法である。同一グループ内であっても、Ｉ−ＰＩＣＴＵＲＥをコマ送りすることで、選択することも可能としている。
【００１２】
第４の編集方法は、画像表示はせずに撮影日時のみをリストし、このリストから取捨選択をしてグループ分けを行う方法である。
【００１３】
また、複数のソース動画データを編集して別の動画データとして録画する方式に関する従来技術として、１つのＰＬＡＹ／ＳＴＯＰボタンを使用して、再生されている画像の編集作業を容易に行えるようにした動画像編集方式が提案されている（例えば、特許文献２参照）。
【００１４】
ＰＬＡＹ／ＳＴＯＰのボタンは、トグル方式として１つのボタンで編集を行う。
【００１５】
この場合、第１の編集方式は、複数用意されたソース画像より選択した１つの画像を再生して、ＰＬＡＹ／ＳＴＯＰボタンにより指定された位置以降をカットし、前半部分を録画する。次に、別のソース画像を再生して、指定された位置以降をカットし、前半部分を録画していくといった方法で、１つの画像として録画する方式である。
【００１６】
第２の編集方式は、複数用意されたソース画像より選択した１つの画像を再生して、ＰＬＡＹ／ＳＴＯＰボタンにより指定された位置以前をカットし、後半部分を録画する。次に、別のソース画像を再生して、指定された位置以前をカットし、後半部分を録画していくといった方法で、１つの画像として録画する方式である。
【００１７】
第３の編集方式は、複数用意されたソース画像データより選択した１つの画像を再生し、ＰＬＡＹ／ＳＴＯＰボタンにより指定された位置まで録画するとともに、第１の画像データは再生したまま、第２の画像データを再生し、ＰＬＡＹ／ＳＴＯＰボタンにより指定された位置まで第２の画像データを録画し、録画終了後、再生を継続している第１の画像データを継続して録画することにより、画像の重ね書きデータ編集を行う方式である。
【００１８】
第４の編集方式は、複数用意されたソース画像データより選択した１つの画像を再生し、ＰＬＡＹ／ＳＴＯＰボタンにより指定された位置まで録画した後、第１の画像データは録画された位置にてホールドされ、次に第２の画像データを再生し、ＰＬＡＹ／ＳＴＯＰボタンにより指定された位置まで第２の画像データを録画し、録画終了後、ホールドしている第１の画像データを継続して再生録画することにより、画像の重ね書きデータ編集を行う方式である。
【００１９】
第５の編集方式は、複数用意されたソース画像より選択した１つの画像を再生して、ＰＬＡＹ／ＳＴＯＰボタンにより指定された位置以前をカットし、後半部分を録画する。次に、別のソース画像を再生して、指定された位置以前をカットし、後半部分を録画していくといった方法で１つの画像として録画する方式である。
【００２０】
第６の編集方式は、巻戻しボタンと早送りボタンと特殊効果を選択する手段とを設け、巻き戻しボタンを操作することにより高速で所望の位置まで戻り、巻き戻しボタンを離した位置から再度編集作業を再開することができ、早送りボタンを操作することにより高速で所望の位置まで戻り、所望の位置から編集作業を再開することができるとともに、追加された特殊効果の選択手段により特殊効果、例えばワイプ、フェードなどを適用して編集する方式である。
【００２１】
また、複数のソース動画データあるいは長時間に渡る大量の画像データを編集して別の動画データとして録画する方式に関する従来技術として、映像の記録状態を複数の時間軸を用いて表示する手段と、所望の位置を指示する手段と、読み出された画像を表示する手段とをもち、目視しながら画像編集を容易に行うことのできる映像検索装置及び映像検索方法が提案されている（特許文献３参照）。
【００２２】
この映像検索装置では、画像の格納状態を示すＧＵＩ（Ｇｒａｐｈｉｃａｌ  Ｕｓｅｒ  Ｉｎｔｅｒｆａｃｅ）として、例えば、縦軸に時間単位の時間軸を、横軸に分単位の時間軸を設定している画面を用意し、用意された画面内に所望の位置を指定する第１の操作子を表示する。同時に、別の時間軸を持った画面を用意して、例えば縦軸に分単位の時間軸を、横軸に秒単位の時間軸を用意した複数の帯状のＧＵＩを用意し、所望の位置を指定する第２の操作子を用意する。これら第１の操作子と第２の操作子とは、別に用意された操作子のＧＵＩにより、効率よく操作でき、また記述されていないが連動して動作することが推定される。これらの手段により効率よく所望の画像を選択し、画像データをクリップごとに分類するリスト表示として別の表示手段を持っており、このリスト表示よりクリップの再生順を指定することにより、画像の編集作業を容易に実施することができるようになっている。
【００２３】
【特許文献１】
特開平１０−２５４７４６号公報
【特許文献２】
特開平１１−１４６２７０号公報
【特許文献３】
特開２０００−３４８４７２号公報
【００２４】
【発明が解決しようとしている課題】
しかしながら、上記した従来技術は、以下に示すような解決すべき問題点を有している。
【００２５】
すなわち、上記特許文献１の例では、画像データ管理方法を実現するための装置が、その図１に示されているようなブロック図で構成されている。すなわち、グループ分けを主体として編集を行うためには、通常の録画、再生を行うための操作部以外に、編集する場合にカーソル指示を行うための操作部などをカメラコントローラ１００１５０に設ける必要があった。
【００２６】
また、上記した特許文献２の例では、ＰＬＡＹ／ＳＴＯＰボタンのみを操作手段として容易な操作性を実現することが可能である一方、その図１に示されるブロック図で構成されているように、編集モードの切り替え操作をする選択装置２と、複数の画像データの再生装置３と、別の録画をするための録画装置６とを組み合わせる必要があった。また、動画ソースとは別に動画データを作成するため、著作権保護などコピープロテクトされた動画ソースには応用できないといった問題があった。
【００２７】
また、上記した特許文献３の例では、その図１のブロック図及び図２の画面構成図で示されているように、映像のすべての状態を表示する画面と、さらに詳細な映像の状態を表示する画面と、任意の位置を指定する操作子と、この操作子を操作するためのＧＵＩ表示部とを利用するため、液晶デイスプレイに非常に多くの情報を表示する必要があり、画面サイズの制限、画面数の制限、操作部のボタンなどを配置するスペースの制限がある小型の機器には適用できないといった問題があった。また、映像ソースとは別に映像データを作成するため、著作権保護などコピープロテクトされた映像ソースには応用できないといった問題もあった。
【００２８】
本発明は係る問題点を解決すべく創案されたもので、その目的は、小型の録画装置、再生装置まはた録画再生装置において、録画した動画データの編集を容易に行うことのできる動画データ編集装置を提供することにある。
【００２９】
【課題を解決するための手段】
本発明の動画データ編集装置は、動画データを表示する表示手段と、動画データを格納する格納手段と、前記格納手段に格納された動画データの再生に関連する操作を指示する操作手段と、前記格納手段に格納されている動画データの再生や編集を制御する制御手段とを備えた動画データ編集装置において、前記操作手段に設けられている任意のキーが、動画データの再生に関連する操作機能と動画データの編集に関連する操作機能とを具備し、前記操作手段の機能を再生に関連する操作機能から編集に関連する操作機能に変更する変更手段をさらに備えており、前記変更手段にて前記操作手段の機能を再生に関連する操作機能から編集に関連する操作機能に変更することにより、前記操作手段にて動画データの編集作業を行うことを特徴とする。この場合、前記変更手段は、前記操作手段に設けられている動画データの再生に関連する操作を指示するキーの一つ（例えば、［ＭＥＮＵ］キー等）に割り付けられている。
【００３０】
ここで、表示手段としては、液晶ディスプレイを用いることができる。また、格納手段としては、ＨＤＤやＲＡＭに代表されるようなランダムアクセスできるデジタルデータ記憶装置を用いることができる。また、操作手段の再生に関連する操作機能とは、再生、早送り、巻戻し、停止、ボリューム調整等の各種操作機能のことである。
【００３１】
本発明によれば、動画データの選択操作で動画を選択し、変更手段で操作手段の操作モードを再生に関連する操作機能から編集に関連する操作機能に変更する。そして、変更後の操作手段を操作することにより、動画データを編集することができる。
【００３２】
また、本発明の動画データ編集装置によれば、編集モード時、前記操作手段は、前記表示手段に表示されている編集されるべき動画データの任意のポジションにマーキングをするためのマーキングキーを備えており、前記制御手段は、前記マーキングキーの操作によって動画データの任意の複数のポジションに添付されたマーキングに対し、偶数番目のマーキングはそのマーキングより前の動画データを有効とし、奇数番目のマーキングはそのマーキングより後ろの動作データを有効として編集処理を行うことを特徴とする。また、編集モード時、前記操作手段は、前記表示手段に表示されている編集されるべき動画データの任意のポジションにマーキングをするためのマーキングキーを備えており、前記制御手段は、前記マーキングキーの操作によって動画データの任意の複数のポジションに添付されたマーキングに対し、奇数番目のマーキングはそのマーキングより前の動画データを有効とし、偶数番目のマーキングはそのマーキングより後ろの動作データを有効として編集処理を行うことを特徴とする。この場合、制御手段は、編集処理の完了時に、有効とした画像データ以外の画像データを消去するようにしてもよい。
【００３３】
本発明によれば、動画データの選択操作で動画を選択し、変更手段で操作手段の操作モードを再生に関連する操作機能から編集に関連する操作機能に変更する。そして、変更後の操作手段を操作することにより、編集画面を早送り、巻き戻しし、さらに操作手段のマーキングキー（例えば、［再生」キー等）によって任意のポジションの動画データにマーキングすることにより、動画データを編集することができる。マーキングの奇数番目、偶数番目の指定は、マーキングキーを操作することにより、自動的に決定される。
【００３４】
この後、編集作業の終了を指示すると、終了指示を受けた制御手段は、例えば偶数番目のマーキングはそのマーキングより前の動画データを有効とし、奇数番目のマーキングはそのマーキングより後ろの動画データを有効として、編集作業完了時に無効部分を消去する。このデータをもとに再生動作を行うと、奇数番目のマーキングから偶数番目のマーキングまでの間の動画データのみが順次、連続して再生されることになる。
【００３５】
一方、終了指示を受けた制御手段は、例えば奇数番目のマーキングはそのマーキングより前の動画データを有効とし、偶数番目のマーキングはそのマーキングより後ろの動画データを有効として、編集作業完了時に無効部分を消去する。このデータをもとに再生動作を行うと、偶数番目のマーキングから奇数番目のマーキングまでの間の動画データのみが順次、連続して再生されることになる。
【００３６】
【発明の実施の形態】
以下、本発明の実施の形態について、図１〜図７を参照しながら詳細に説明する。
【００３７】
＜第１の実施形態＞
図１は、本発明の第１の実施形態の動画再生・編集装置を示すブロック図である。
【００３８】
本実施形態の動画再生・編集装置は、液晶モニターからなる表示部１、動画や静止画を再生する画像再生部２、デジタルデータである動画データを１つ以上格納できるデータ格納部３、画像再生部２をコントロールする操作部４を備えている。
【００３９】
データ格納部３は、格納したデジタルデータにランダムアクセスすることが可能なＨＤＤやＲＡＭに代表される記憶装置である。
【００４０】
画像再生部２は、操作部４からの操作により、データ格納部３から画像データを読み出し、再生動画や静止画を表示部１に表示する。画像再生部２は、データ格納部３に格納された画像に同期した位置にデータを付加する機能や、指定された位置より編集する機能などを備えている。
【００４１】
図２は、データ格納部３のデータ格納領域に格納される動画データの構成例を示しており、動画圧縮方式の１つであるＭＰＥＧ方式のフォーマットを模式的に表したものである。
【００４２】
すなわち、画像データの先頭に全画面を表す情報であるＩ−ＰＩＣＴＵＲＥ（全画面データ）１０が配置され、その後ろに、時間軸方向に差分情報であるＰ−ＰＩＣＴＵＲＥ（差分画像データ）１１が続く。そして、差分画像データの情報だけでは、画像の極端な変化、例えば海の画面から山の画面になる場合、撮影された場所が移動する場合などの画面の切り替わりに追従できないため、一定期間（複数個）の差分画像データ１１の後にＩ−ＰＩＣＴＵＲＥを配置して、画面の急激な動きに追従するようにデータが構成される。また、図示されていないが、これらの画像データには、各々時間情報が併せて記録されている拡張エリアが設けられている。時間情報は、時計の時間情報である場合、コマ数の情報である場合などがあるが、絶対時間を示す必要はなく、相対時間や画面の相対位置関係がわかるデータであればよい。
【００４３】
図３は、本実施形態の動画データ編集装置における動画データ編集方式の基本的な説明を行うための参考となる説明図である。
【００４４】
図中の符号２０は一括りの動画データを示す。例えば、ＴＶから録画した映画番組２時間分である。記録された動画データは、図２で示されるデータが連続して配置されたものである。図２に示すＩ−ＰＩＣＴＵＲＥ１０が動画編集の切断面として取り扱われる。つまり、差分情報であるＰ−ＰＩＣＴＵＲＥ１１で編集した場合、再生画面の先頭にＰ−ＰＩＣＴＵＲＥ１１が配置されることになるために、再生データの先頭が正常な画面を表示することができなくなることを防止している。画像を編集する場合は、画像データに付随するデータに編集のためのマーカーデータを記録する。図中の符号２１は記録されたマーカー位置を示し、符号２２は別のマーカー位置を示す。これらの情報は、一括りの動画データ内に１つ、あるいは複数記録する。この例では、２箇所にマーカーが配置されたものを示している。動画データにマーカーを記録するのは、動画録画中であってもよいし、動画再生中であってもよいし、本実施形態のように編集操作中であってもよい。
【００４５】
図４は、マーカーの位置を動画データに添付する操作手順を示すフローチャートである。ただし、図４では、左側に操作方法を示し、そのときの表示部３での表示例を右側に示している。
【００４６】
まず、動画データを画面に表示させる（ａ）。このとき、画面に動画データのリスト表示が行われる（ｂ）。この例では、映画１、映画２のリストが表示されており、映画１がハイライトされている状態を示している。
【００４７】
次に、操作部４に設けられているボリューム［−］［＋］キーにより、ハイライトされたリスト位置を移動する（（ｃ），（ｄ））。この例では、映画２がハイライトされている状態となっている。
【００４８】
次に、（ｄ）の映画２がハイライトされている状態で、操作部４の［ＭＥＮＵ］キーを操作することで（ｅ）、表示部４はモード切替の選択画面となる（ｆ）。
【００４９】
選択画面に切り替わると、モードなどのリストが表示されるので、ボリューム［−］［＋］キーにより編集をハイライトさせ（（ｇ），（ｈ））、この状態で操作部４の［再生］キーで編集を選択する（ｉ）。編集を選択すると、Ｉ−ＰＩＣＴＵＲＥが３枚表示される（ｊ）。
【００５０】
表示された真中の画面が選択画面となるが、ボリューム［−］［＋］キーで表示されている画面を順送り、逆送りする（（ｋ），（ｌ））。
【００５１】
そして、マーカーしたい画面が出た位置で、［再生］キーを操作することで、マーカー位置の指定を行う（（ｍ），（ｎ））。この例では、画面１２にマーカーを添付している。
【００５２】
同様の操作により、（ｏ）〜（ｒ）の手順でさらにマーカーの指定を行う。この例では、画面２０にマーカーを添付している。
【００５３】
以上の操作により、図３に示すマーカー位置２１，２２にマーカー位置を設定できる。
【００５４】
図５は、図４に示す編集処理を終了するための操作手順を示すフローチャートである。ただし、図５では、左側に操作方法を示し、そのときの表示部３での表示例を右側に示している。
【００５５】
まず、画像マークの表示状態（（ｓ），（ｔ））より、操作部４の［停止］キーを操作してＭＥＮＵ画面に戻る（（ｕ），（ｖ））。
【００５６】
次に、ボリューム［−］［＋］キーを操作してＭＥＮＵ画面の終了選択を行う（（ｗ），（ｘ））。
【００５７】
最後に、この選択状態で［再生］キーを操作することにより、終了の実行を行う（（ｙ），（ｚ））。
【００５８】
以上の操作により、マーカー２１とマーカー２２の設定が終了する。
【００５９】
マーカーで設定されたデータは、マーカー２１とマーカー２２の間のみのデータが再生部分として指定されたので、編集終了時にデータ切り出しし、それ以外のデータは消去する。
【００６０】
なお、上記第１の実施形態では、説明を簡単なものとするため、マーカーの数を２個として説明したが、上記図４に示した操作手順の（ｏ）〜（ｒ）の操作を繰り返すことで、複数個のマーカーを設定することができる。
【００６１】
また、上記第１の実施形態では、操作部４の機能を、再生に関連する操作機能から編集に関連する操作機能に切り替えるキーとして、［ＭＥＮＵ］キーを用いているが、この［ＭＥＮＵ］キーの代わりに、［停止］キーを長押しするなどしてもよい。これにより、操作部４に［ＭＥＮＵ］キーを追加することもなく、機能変更を行うことができる。
【００６２】
さらに、データの処理方法は、上記第１の実施形態では、奇数番目のマーカー以降、偶数番目のマーカーまでを再生するデータとして説明したが、偶数番目のマーカー以降、奇数番目のマーカーまでを再生するデータとして扱うこともできる。
【００６３】
＜第２の実施形態＞
上記第１の実施形態では、編集終了時に不要部分の画像データを消去することでデータ編集を終了する構成としているが、本実施形態では、不要部分の画像データを消去せず保存しておき、マーカーのみを記録する構成としている。
【００６４】
本実施形態のブロック図は、図１に示す上記第１の実施形態のブロック図と同じである。また、画像データのフォーマットは図２に示すフォーマットと同じであり、画像データにマーカーを設定する方式も図３ないし図５に示す手順で行う。図６は、このような手順でマーカーを設定した全体が一括りの動画データの例を示している。以下、この図６に示す動画データの例を参照して、本実施形態の再生方法について説明する。
【００６５】
図６に示す動画データには、５個のマーカー３１〜３５が添付されている。このマーカー３１〜３５は、上記したように、第１の実施形態の手順で操作される方式で設定したものである。ただし、マーカーの設定については、必ずしも第１の実施形態の方法を利用する必要はない。
【００６６】
画像再生部２は、これらのマーカー位置を、図７に示すフローチャートに従って再生処理を実施する。このフローチャートに従って実施した場合、図６に符号３９，４０で示す領域が非再生領域、符号３６，３７，３８で示す領域が再生領域となり、この再生領域３６，３７，３８が連続して再生されることになる。以下、図６に示すフローチャートに従って順次説明していく。
【００６７】
ステップＳ４１では、画像再生部２により再生動作を実施する。再生動作中は、動画を連続して再生するために予め画像データを先読みして再生動作を実施する。
【００６８】
ステップＳ４２では、先読みしたデータの再生終了位置をチェックし、最後のデータを再生し終わると（ステップＳ４２でＹｅｓと判断されると）、ステップＳ４７へと動作を進め、再生動作を終了する。
【００６９】
一方、再生対象である画像データが再生途中である間（ステップＳ４２でＮｏと判断される間）は、次のステップＳ４３で、Ｉ−ＰＩＣＴＵＲＥのマーカーの有無を確認する。その結果、マーカーを検出した場合（ステップＳ４３でＹｅｓと判断された場合）には、そのマーカーから次のマーカーの位置に移動して再生動作をすることが必要となるので、ステップＳ４４へと動作を進めてデータ読み込みを一旦停止した後、ステップＳ４５へと動作を進めて、次のマーカー位置をＩ−ＰＩＣＴＵＲＥに沿って検索する。ただし、この間も、先読みされたデータの再生動作は継続されている。そして、次のマーカー位置を検出したら、検出した位置から再びデータ読み込みを開始して再生動作を継続し（ステップＳ４６）、ステップＳ４２に戻る。
【００７０】
以上の再生動作により、指定された動画を連続して再生することとなり、実質的に動画の編集をしたものを見るのと同様の効果が得られる。
【００７１】
なお、マーカーにマーカー番号を付与して動画データとリンクしておくことで、図７に示すステップＳ４２での判定処理を、マーカー番号が奇数であるか、またはマーカー番号が偶数であるかの判定を入れ替えるだけで、図６に示す再生領域３６，３７，３８と非再生領域３９，４０とを容易に入れ替えることが可能となる。
【００７２】
【発明の効果】
以上説明したように、本発明によれば、操作手段の機能を再生に関連する操作機能から編集に関連する操作機能に変更する変更手段を備えており、この変更手段にて操作手段の機能を再生に関連する操作機能から編集に関連する操作機能に変更することにより、この操作手段にて動画データの編集作業を行う構成としている。これにより、デジタルデータとして格納している動画データを、必要な部分だけを再生できるような形式に容易に編集することができる。
【００７３】
また、本発明によれば、表示手段に表示されている編集されるべき動画データの任意のポジションにマーキングをするためのマーキングキーを備えており、このマーキングキーの操作によって動画データの任意の複数のポジションに添付されたマーキングによって編集処理を行う構成としている。これにより、デジタルデータとして格納している動画データを、画像データ自体に付随するデータ（マーカー）をつけるだけで必要な部分だけを再生できるような形式に容易に編集することができる
【図面の簡単な説明】
【図１】本発明の第１の実施形態によるシステム全体の構成を示すブロック図である。
【図２】画像データであるＭＰＥＧのデータ構造のイメージ図である。
【図３】全体を一括りの画像データとしたときのマーカー位置情報の設定イメージ図である。
【図４】第１の実施形態でマーカー選択を行う手順を示したフローチャートである。
【図５】第１の実施形態でマーカー選択後のマーカーの確定を行う手順を示したフローチャートである。
【図６】全体を一括りの画像データとしたときの複数のマーカーを選択したときの設定イメージ図である。
【図７】図６に示すデータ記録を再生するときに、動画データをマーカー位置で編集したのと同じ効果を得るための処理手順を示したフローチャートである。
【符号の説明】
１    表示部（液晶デイスプレイ、ブラウン管、プラズマなど）
２    画像再生部
３    データ格納部（ＨＤＤ、半導体メモリ等）
４    操作部
１０  ＭＰＥＧデータのうちＩ−ＰＩＣＴＵＲＥ（画面全体データ）
１１  ＭＰＥＧデータのうちＰ−ＰＩＣＴＵＲＥ（画面差分データ）
２０  ＭＰＥＧデータ（動画データ）の全体
２１  ＭＰＥＧデータのうちマーカーでマーキングされた第１のＩ−ＰＩＣＴＵＲＥ
２２  ＭＰＥＧデータのうちマーカーでマーキングされた第２のＩ−ＰＩＣＴＵＲＥ
３１  ＭＰＥＧデータのうちマーカーでマーキングされた第１のＩ−ＰＩＣＴＵＲＥ
３２  ＭＰＥＧデータのうちマーカーでマーキングされた第２のＩ−ＰＩＣＴＵＲＥ
３３  ＭＰＥＧデータのうちマーカーでマーキングされた第３のＩ−ＰＩＣＴＵＲＥ
３４  ＭＰＥＧデータのうちマーカーでマーキングされた第４のＩ−ＰＩＣＴＵＲＥ
３５  ＭＰＥＧデータのうちマーカーでマーキングされた第５のＩ−ＰＩＣＴＵＲＥ
３６  ＭＰＥＧデータのうち第１のマーカーと第２のマーカーで示される再生領域
３７  ＭＰＥＧデータのうち第３のマーカーと第４のマーカーで示される再生領域
３８  ＭＰＥＧデータのうち第５のマーカーと動画データの最後のデータまでで示される再生領域
３９  ＭＰＥＧデータのうち第２のマーカーと第３のマーカーで示される非再生領域
４０  ＭＰＥＧデータのうち第４のマーカーと第５のマーカーで示される非再生領域
【図１】
2004343331.tif 000003
【図２】
2004343331.tif 000004
【図３】
2004343331.tif 000005
【図４】
2004343331.tif 000006
【図５】
2004343331.tif 000007
【図６】
2004343331.tif 000008
【図７】
2004343331.tif 000009